(57)【要約】      （修正有）【課題】互いに直交する三軸方向のいずれの方向へもブロック同士の結合を繰り返すことができ、直感的に立体形状を造形することが可能なブロック玩具を提供する。【解決手段】正六面体に形成されたブロック体１を磁力によって複数連結して遊ぶブロック玩具であって、ブロック体１の各面１０では四つの角部のそれぞれの近傍に磁石１１が配置され、これら４個の磁石１１のうち、各面１０で互いに直交する一方の対角線上には一対のＳ極が、他方の対角線上には一対のＮ極が配置され、更に、前記ブロック体１の互いに隣接する面１０では同じ極性の磁極が隣り合っている。【選択図】図１
0003229504.tif 000002
【実用新案登録請求の範囲】
【請求項１】
正六面体に形成されたブロック体を磁力によって複数連結して遊ぶブロック玩具であって
、
前記ブロック体の各面では四つの角部のそれぞれの近傍に磁石が配置され、これら４個の
磁石のうち、各面で互いに直交する一方の対角線上には一対のＳ極が、他方の対角線上に
は一対のＮ極が配置され、更に、前記ブロック体の互いに隣接する面では同じ極性の磁極
が隣り合っていることを特徴とするブロック玩具。
【考案の詳細な説明】
【技術分野】
【０００１】
本考案は、複数のブロックを結合して、任意の立体形状を組み立てることが可能なブロ
ック玩具に関するものである。
【背景技術】
【０００２】
この種のブロック玩具としては、特許文献１に開示されるものが知られている。同文献
に示されたブロック玩具は、立方体に形成されたブロック体の八箇所の角部に対して磁石
を設けたものであり、前記磁石の磁力を利用してブロック体同士を連結するように構成さ
れている。また、前記磁石は球形に形成されており、当該球形磁石は前記ブロック体の角
部に設けられた収容室に対して回転自在に収容されている。このため、前記ブロック体の
角部同士を互いに接近させると、一方の球形磁石のＮ極と他方の球形磁石のＳ極が互いに
吸引しあって、これら球形磁石が前記収容室内で自ずと回転し、これによって磁石同士の
反発を生じることなく、ブロック体同士を連結することが可能となっている。
【先行技術文献】
【特許文献】
【０００３】
【特許文献１】特開２０１９−２４７５９
【考案の概要】
【考案が解決しようとする課題】
【０００４】
しかし、特許文献１のブロック玩具では、前記球形磁石の直径の相反する方向にＮ極と
Ｓ極が設けられているため、複数のブロック体を一方向へ繰り返し連結するのであれば問
題ないが、一つのブロック体に対して互いに直交する二方向または三方向から他のブロッ
ク体を連結しようとすると、前記球形磁石の磁力が十分に作用しない懸念があり、立体形
状を造形するに当たっての自由度が低かった。
【課題を解決するための手段】
【０００５】
本考案はこのような問題点に鑑みなされたものであり、その目的とするところは、互い
に直交する三軸方向のいずれの方向へもブロック同士の結合を繰り返すことができ、直感
的に立体形状を造形することが可能なブロック玩具を提供することにある。
【０００６】
すなわち、本考案は、正六面体に形成されたブロック体を磁力によって複数連結して遊
ぶブロック玩具であって、前記ブロック体の各面では四つの角部のそれぞれの近傍に磁石
が配置され、これら４個の磁石のうち、各面で互いに直交する一方の対角線上には一対の
Ｓ極が、他方の対角線上には一対のＮ極が配置され、更に、前記ブロック体の互いに隣接
する面では同じ極性の磁極が隣り合っているものである。
【考案の効果】
【０００７】
このような本考案によれば、前記ブロック体の各面に配置された磁石のＮ極とＳ極を互
いに対向させることにより、これら磁極間に作用する磁力で正六面体であるブロック体を
次々に結合することができ、互いに直交する三軸方向のいずれの方向へもブロック体同士
の結合を繰り返すことができる。従って、三次元の立体形状を自由に、しかもブロック同
士の結合を気にすることなく直感的に造形することが可能となる。
【図面の簡単な説明】
【０００８】
【図１】本考案を適用したブロック玩具の第一実施形態を示す斜視図である。
【図２】第一実施形態のブロック玩具の断面図である。
【図３】第一実施形態のブロック玩具の展開図である。
【図４】本考案を適用したブロック玩具の第一連結例を示す斜視図である。
【図５】本考案を適用したブロック玩具の第二連結例を示す斜視図である。
【図６】本考案を適用したブロック玩具の第二実施形態を示す斜視図である。
【考案を実施するための形態】
【０００９】
以下、添付図面を用いて本考案を適用したブロック玩具の実施形態を詳細に説明する。
【００１０】
図１は本考案を適用したブロック玩具のブロック体１の第一実施形態を示す斜視図であ
る。このブロック体１は正六面体に形成されており、六面存在する各面１０には４個の磁
石１１が配置されている。前記磁石１１のそれぞれは各面の四つの角部の近傍に配置され
ている。
【００１１】
図２は前記ブロック体１の断面図である。前記ブロック体１は合成樹脂の射出成型によ
って製作されており、内部は空洞になっている。具体的な製作方法としては、正六面体の
五面を一体の第一部材として射出成型する一方、残余の一面を第二部材として射出成型し
、成形後に両者を組み合わせることで正六面体を完成させることができる。前記磁石１１
は前記ブロック体１の各面１０に対して当該ブロック体１の内側から貼り付けられている
。前記磁石１１は円板状に形成されると共に、その表裏にはＮ極及びＳ極が着磁されてお
り、当該磁石１１の表裏を選択して前記ブロック体１の各面１０の裏側に貼り付けること
により、前記ブロック体１の各面１０の表側に任意の磁極が現れることになる。
【００１２】
図３は前記ブロック体１の展開図であり、各面１０における磁石１１の磁極配置を示し
ている。前記ブロック体１の各面１０における前記磁石１１の磁極配置としては、各面１
０で互いに直交する2本の対角線のうち、一方の対角線上には一対のＳ極が配置され、他
方の対角線上には一対のＮ極が配置されている。また、前記磁石１１は前記ブロック体１
の各面１０の角部から前記対角線の長さの１／４の位置に設けられている。すなわち、各
面１０を中心線で四つの正方形に区分したと仮定すると、四つに区分された正方形の中心
に前記磁石１１が配置されていることになる。更に、同図に示されるように、前記ブロッ
ク体１の互いに隣接する二つの面では、辺を挟んで、同じ極性の磁極が隣り合っている。
このため、図１に示すように前記ブロック体１に具備される八つの角部では、同じ極性の
三つの磁極が各角部を囲むように配置されている。
【００１３】
図４は前記ブロック体１を前記磁石１１の磁力で結合する様子を示した図である。二つ
のブロック体１は互いに対向した面１０において前記磁石１１のＮ極とＳ極が向かい合っ
た際に、これら磁石１１の間に作用する磁力で互いに連結される。仮に、前記磁石１１の
Ｎ極とＮ極、Ｓ極とＳ極が向かい合うと、磁石同士が反発しあうので、二つのブロック体
１を連結することはできない。その場合には、一方のブロック体１を９０度回転させるこ
とで、前記磁石１１のＮ極とＳ極が向かい合う状態となり、二つのブロック体１を改めて
連結することが可能となる。
【００１４】
また、前記ブロック体１には各面１０毎に前記磁石のＳ極とＮ極が対角線上に配置され
ていることから、図４に示すように、複数のブロック体１を直交する三軸方向（Ｘ軸、Ｙ
軸、Ｚ軸）へ繰り返し結合していくことも可能である。従って、本考案のブロック玩具を
使用すれば、三次元の立体形状を自由に創作することが可能である。
【００１５】
更に、前記ブロック体１の各面１０を中心線で四つの正方形に区分したと仮定した際に
、前記磁石１１は区分された個々の正方形の中心に位置しているで、図５に示すように、
ブロック体１を他のブロック体１に対して半分変位させた状態で連結することも可能であ
る。この点においても、本考案のブロック玩具を使用すれば、三次元の様々な立体形状を
自由に創作することが可能である。
【００１６】
尚、図３乃至図５は前記ブロック体１の表面における前記磁石１１の磁極配置を簡易的
に示したものであり、実際にはブロック体１の表面に磁石１１を視認することはできない
。
【００１７】
次に、図６は本考案を適用したブロック体の他の実施形態を示す断面図である。前述し
た第一実施形態のブロック体１では、射出成型したブロック体１の内側に磁石１１を貼り
付けていたが、この第二実施形態では磁石１１をインサート品としたインサート成形によ
ってブロック体１Ａを製作している。前記ブロック体１Ａは、磁石１１をインサート品と
した合成樹脂の射出成形によって正六面体に成形される磁石保持体１２と、前記磁石保持
体１２を外側から被覆する外郭体１３とから構成されている。前記磁石保持体１２をイン
サート成形によって製作することにより、各磁石１１をブロック体の内側に貼り付ける手
間が軽減され、前記ブロック体１Ａを低コストで量産することが可能である。また、前記
磁石保持体１２の周囲を外郭体１３で被覆することにより、前記磁石１１が外部に露出し
ないので、磁石の脱落といった破損を防ぐことができる他、前記磁石保持体１２の強度を
確保しておけば、前記外郭体１３を成形する合成樹脂は強度や厚みを気にすることなく選
定できるので、前記ブロック体１Ａの外観デザインの幅を拡げ、より消費者の好みに合わ
せたブロック玩具を提供することが可能となる。
【符号の説明】
【００１８】
１…ブロック体、１０…面、１１…磁石
【図１】
0003229504.tif 000003
【図２】
0003229504.tif 000004
【図３】
0003229504.tif 000005
【図４】
0003229504.tif 000006
【図５】
0003229504.tif 000007
【図６】
0003229504.tif 000008